(57)【特許請求の範囲】
【請求項１】
アウター側ヘッドアクセス口と駆動軸挿入穴を有するアウターシェルと、
前記アウター側ヘッドアクセス口を開閉するシャッターと、
インナー側ヘッドアクセス口を有し、内側に記録ディスクを収納し、外周に円弧状歯部を有し、前記アウターシェル内に前記アウターシェルの駆動軸挿入穴を中心として回転可能に収納されたインナーシェルと、
前記インナーシェルの回転に伴って移動可能に取り付けられたディスク押さえ部材を備えたディスクカートリッジであって、
記録再生装置に、前記ディスクカートリッジを挿入したとき、当該ディスクカートリッジの挿入力によって、前記円弧状歯部を介して前記インナーシェルが回転され、当該インナーシェルの回転に伴って、前記ディスク押さえ部材が前記記録ディスクから離れることにより、前記記録ディスクが自在に回転可能になり、前記記録再生装置から前記ディスクカートリッジを取り出した際に、前記インナーシェルの復帰回転によって、前記ディスク押さえ部材は、前記記録ディスクに当接して前記記録ディスクの移動を規制することを特徴とするディスクカートリッジ。
【請求項２】
請求項１記載のディスクカートリッジにおいて、
前記アウター側ヘッドアクセス口と前記インナー側ヘッドアクセス口は、前記シャッターを閉じた状態では、回転方向に離れた位置にあり、前記シャッターには、当該シャッターに結合されたラック部材を有し、前記シャッターを開くと、前記ラック部材が前記円弧状歯部を介して前記インナーシェルを回転させ、前記アウター側ヘッドアクセス口と前記インナー側ヘッドアクセス口が一致し、前記記録再生装置のヘッドアクセスが可能となることを特徴とするディスクカートリッジ。
【発明の詳細な説明】
【０００１】
【発明の属する技術分野】
本発明は、例えば光ディスクカートリッジや磁気ディスクカートリッジなどのディスクカートリッジに係り、特に防塵性に優れたディスクカートリッジに関する。
【０００２】
【従来の技術】
従来のディスクカートリッジは一般に、カートリッジケース内に記録ディスクが回転可能に収納され、カートリッジケースに形成されているヘッドアクセス口がシャッターで開閉される構造になっている。
【０００３】
【発明が解決しようとする課題】
ところが従来のディスクカートリッジは、シャッター１つでカートリッジケース内への塵埃類の侵入を防止していたが、これでは必ずしも防塵性に優れているとはいえず、信頼性に問題がある。
【０００４】
本発明の第１の目的は、このような従来技術の欠点を解消し、落下衝撃などの外力に対する記録ディスクの保護が確実な信頼性の高いディスクカートリッジを提供することにある。
【０００５】
本発明の第２の目的は、前述のような従来技術の欠点を解消し、防塵性に優れ、しかも落下衝撃などの外力に対する記録ディスクの保護が確実な信頼性の高いディスクカートリッジを提供することにある。
【０００６】
前記目的を達成するため、本発明の第１の手段は、アウター側ヘッドアクセス口と駆動軸挿入穴を有するアウターシェルと、
前記アウター側ヘッドアクセス口を開閉するシャッターと、
インナー側ヘッドアクセス口を有し、内側に記録ディスクを収納し、外周に円弧状歯部を有し、前記アウターシェル内に前記アウターシェルの駆動軸挿入穴を中心として回転可能に収納されたインナーシェルと、
前記インナーシェルの回転に伴って移動可能に取り付けられたディスク押さえ部材を備えたディスクカートリッジであって、
記録再生装置に、前記ディスクカートリッジを挿入したとき、当該ディスクカートリッジの挿入力によって、前記円弧状歯部を介して前記インナーシェルが回転され、当該インナーシェルの回転に伴って、前記ディスク押さえ部材が前記記録ディスクから離れることにより、前記記録ディスクが自在に回転可能になり、前記記録再生装置から前記ディスクカートリッジを取り出した際に、前記インナーシェルの復帰回転によって、前記ディスク押さえ部材は、前記記録ディスクに当接して前記記録ディスクの移動を規制することを特徴とするものである。
【０００７】
本発明の第２の手段は前記第１の手段において、前記アウター側ヘッドアクセス口と前記インナー側ヘッドアクセス口は、前記シャッターを閉じた状態では、回転方向に離れた位置にあり、前記シャッターには、当該シャッターに結合されたラック部材を有し、前記シャッターを開くと、前記ラック部材が前記円弧状歯部を介して前記インナーシェルを回転させ、前記アウター側ヘッドアクセス口と前記インナー側ヘッドアクセス口が一致し、前記記録再生装置のヘッドアクセスが可能となることを特徴とするものである。
【０００８】
【発明の実施の形態】
以下、本発明の実施形態を図とともに説明する。図１はＭＯなどのディスクカートリッジの平面図、図２はディスクカートリッジの正面図、図３はディスクカートリッジの左側面図、図４はディスクカートリッジの右側面図、図５はディスクカートリッジの背面図、図６はディスクカートリッジの分解斜視図である。
【０００９】
ディスクカートリッジは、アウターシェル１と、そのアウターシェル１の内側に配置されたインナーシェル２と、そのインナーシェル２の内側に回転可能に収納された記録ディスク３（図６参照）と、前記アウターシェル１の外側にスライド可能に支持されたシャッター４と、そのシャッター４に連結されたスライダー５から主に構成されている。
【００１０】
前記アウターシェル１は、第１アウターシェル６と第２アウターシェル７の組み合わせ体からなり、両アウターシェル６，７はネジ締めまたは超音波溶着される。
【００１１】
図７ないし図１４は第１アウターシェルを示す図で、図７は第１アウターシェルの平面図、図８は第１アウターシェルの正面図、図９は第１アウターシェルの左側面図、図１０は第１アウターシェルの右側面図、図１１は第１アウターシェルの背面図、図１２は第１アウターシェルの底面図、図１３は第１アウターシェルの上側から視た斜視図、図１４は第１アウターシェルの下側から視た斜視図である。
【００１２】
図１５ないし図２２は第２アウターシェルを示す図で、図１５は第２アウターシェルの平面図、図１６は第２アウターシェルの正面図、図１７は第２アウターシェルの左側面図、図１８は第２アウターシェルの右側面図、図１９は第２アウターシェルの背面図、図２０は第２アウターシェルの底面図、図２１は第２アウターシェルの上側から視た斜視図、図２２は第２アウターシェルの下側から視た斜視図である。
【００１３】
第１アウターシェル６と第２アウターシェル７のほぼ中央部に駆動軸挿入穴８が設けられ、それのディスクカートリッジ挿入方向上流側にアウター側ヘッドアクセス口９が形成され、さらにヘッドアクセス口９のディスクカートリッジ挿入方向上流側に一段と低くなった凹状のアウター側ブリッジ部１０が設けられている。
【００１４】
図１２と図２０に示すようにアウター側ブリッジ部１０の両側に、直線状に延びたスライダーガイド部１１が形成されている。また図１２，図１４ならびに図２０，図２２に示すように、第１アウターシェル６ならびに第２アウターシェル７の内面で、駆動軸挿入穴８の周囲に等間隔に位置決め突起１２が設けられている。
【００１５】
インナーシェル２は、第１インナーシェル１３と第２インナーシェル１４の組み合わせ体から構成されている。図２３ないし図２８は第１インナーシェルを示す図で、図２３は第１インナーシェルの平面図、図２４は第１インナーシェルの正面図、図２５は第１インナーシェルの右側面図、図２６は第１インナーシェルの底面図、図２７は第１インナーシェルの上側から視た斜視図、図２８は第１インナーシェルの下側から視た斜視図である。
【００１６】
図２９ないし図３４は第２インナーシェルを示す図で、図２９は第２インナーシェルの平面図、図３０は第２インナーシェルの正面図、図３１は第２インナーシェルの右側面図、図３２は第２インナーシェルの底面図、図３３は第２インナーシェルの上側から視た斜視図、図３４は第２インナーシェルの下側から視た斜視図である。
【００１７】
第１インナーシェル１３と第２インナーシェル１４の中央部にハブ挿通穴１５が形成され、それの近くにインナー側ヘッドアクセス口１６が設けられ、そのインナー側ヘッドアクセス口１６の外周部に一段と低くなった凹状のインナー側ブリッジ部１７が形成されている。
【００１８】
図２６，図２８ならびに図３２，図３４に示すように、第１インナーシェル１３と第２インナーシェル１４の内側に円盤状のディスク収容凹部１８が設けられている。このディスク収容凹部１８に収容される記録ディスク３は、図３５に示すように中央部にハブ１９を有し、ハブ１９の上下両端部は第１インナーシェル１３と第２インナーシェル１４のハブ挿通穴１５に挿通されている。
【００１９】
第１インナーシェル１３の外周部に円弧状歯部２０と連結孔２１が形成され、第２インナーシェル１４の外周部に設けられている連結ピン２２を前記連結孔２１に挿入して、第１インナーシェル１３と第２インナーシェル１４が組み合わさる。
【００２０】
図３５は、インナーシェルアッセンブルの分解斜視図である。図３６ないし図４１はシャッター全開時の状態を示しており、図３６はインナーシェルアッセンブルの平面図、図３７はインナーシェルアッセンブルの正面図、図３８はインナーシェルアッセンブルの右側面図、図３９はインナーシェルアッセンブルの底面図、図４０は図３９Ａ部の拡大図、図４１は図４０Ｂ−Ｂ線上の断面図である。
【００２１】
図４２ないし図４５はシャッター全閉時の状態を示しており、図４２はインナーシェルアッセンブルの平面図、図４３インナーシェルアッセンブルの底面図、図４４は図４３Ｃ部の拡大図、図４５は図４４Ｄ−Ｄ線上の断面図である。
【００２２】
図３５に示すように、第１インナーシェル１３のハブ挿通穴１５の上方、ならびに第２インナーシェル１４のハブ挿通穴１５の下方に、それぞれディスク押さえ部材２３を介してＣリング２４が設置される。
【００２３】
図４６はディスク押さえ部材の平面図、図４７はディスク押さえ部材の正面図、図４８はディスク押さえ部材の底面図、図４９はディスク押さえ部材を上側から視た斜視図、図５０はディスク押さえ部材を下側から視た斜視図である。
【００２４】
ディスク押さえ部材２３はこれらの図に示すように環状をしており、突条のディスク押圧部２５と、複数の突出部２６を有し、突出部２６に傾斜面２７が形成されている。各突出部２６には回動阻止用孔２８が設けられている。
【００２５】
図５１はＣリングの平面図、図５２はＣリングの正面図、図５３はＣリングの底面図、図５４はＣリングを上側から視た斜視図、図５５はＣリングを下側から視た斜視図である。
【００２６】
Ｃリング２４には内側に向けて突出した突出部２９が複数設けられ、それの両側に傾斜面３０が形成されている。また突出部２９の近傍に連結ピン３１が突出している。
【００２７】
図２３と図２７ならびに図２９と図３３に示すように、第１インナーシェル１３ならびに第１インナーシェル１４のハブ挿通穴１５の外周に、一段低くなったディスク押さえ部材収容部３２が形成され、それの周方向に複数の傾斜部３３が設けられている。ディスク押さえ部材収容部３２の径方向外側にＣリング収容部３４が形成され、それの周方向に複数の貫通孔３５が設けられている。
【００２８】
図５６はシャッターの平面図、図５７はシャッターの正面図、図５８はシャッターの左側面図、図５９はシャッターの斜視図である。
【００２９】
シャッター４は金属薄板から構成され、アウターシェル１の駆動軸挿入穴８ならびにアウター側ヘッドアクセス口９を開閉する２つの平行に延びた平板部３６，３６と、平板部３６の基端部どうしを接続する端面板部３７を有し、図５８に示すように側面形状がほぼコ字形をしている。
【００３０】
平板部３６の基端部付近には、端面板部３７側に向けて延びた複数の係止爪３８が設けられている。図示していないがこの係止爪３８は、若干内側に向けて屈曲している。図５７に示すように端面板部３７の一方の端縁には、内側に向けて切り込まれた切欠部３９が形成されている。
【００３１】
図６０はスライダーの平面図、図６１はスライダーの正面図、図６２はスライダーの左側面図、図６３はスライダーの右側面図、図６４はスライダーの背面図、図６５はスライダーの斜視図である。
【００３２】
スライダー５は、シャッター４の係止爪３８の先端部が当接する複数の係止突片４０を有するシャッター支持部４１と、そのシャッター支持部４１の内側に設けられアウターケース１のスライダーガイド部１１と係合する摺動部４２と、その摺動部４２からシャッター開き方向と反対側に突出したラック部４３と、摺動部４２のラック部４３と反対側に設けられたバネ掛け部４４を有している。図６１に示すようにシャッター支持部４１の前面に、シャッター開閉用凹部５２が形成されている。
【００３３】
図６に示すように第２アウターシェル７のアウター側ヘッドアクセス口９の近傍に支持軸４５が突設され、それにピニオン４６が回転自在に支持されている。ピニオン４６は小径の第１歯車４７と大径の第２歯車４８が一体に形成され、図６６と図６７に示すように第１歯車４７がスライダー５のラック部４３と、第２歯車４８がインナーシェル２の円弧状歯部２０と、それぞれ噛合する。
【００３４】
図６６と図６７に示すように、スライダー５のバネ掛け部４４にコイルバネ４９の一端４９ａが係止され、コイルバネ４９の他端４９ｂが第２アウターシェル７のバネ係止部５０に係止される。
【００３５】
次にこのディスクカートリッジの組み立て順序について説明する。
図６に示すように内側に記録ディスク３を収容し、上下面にディスク押さえ部材２３とＣリング２４を装着したインナーシェル２を第２アウターシェル７の上に載置する。そして下側のディスク押さえ部材２３に設けられている回動阻止孔２８に第２アウターシェル７に設けられている位置決め突起１２を挿入することにより、下側のディスク押さえ部材２３が回動しないように位置決めされる。
【００３６】
また図６６に示すようにスライダー５、ピニオン４６、コイルバネ４９ならびにライトプロテクタ５１などを第２アウターシェル７上の所定の位置にセットする。
【００３７】
次に第１アウターシェル６を第２アウターシェル７の上に重ね合わせ、第１アウターシェル６に設けられている位置決め突起１２を、上側のディスク押さえ部材２３に設けられている回動阻止孔２８に挿入することにより、上側のディスク押さえ部材２３が回動しないように位置決めされる。ついで第１アウターシェル６と第２アウターシェル７をネジによって締結することにより、アウターシェル１を構成する。
【００３８】
しかる後、シャッター４の端面板部３７とは反対側の平板部３６の自由端側からアウターシェル１に向けてシャッター４を外嵌する。この状態でスライダー５の係止突片４０はアウターシェル１の前端面より突出しているから、シャッター４を嵌入することにより、それに設けられている係止爪３８の先端部がシャッター支持部４１の係止突片４０を乗り超えて、係止突片４０の内面に当接する。これによりシャッター４がスライダー５に支持され、ディスクカートリッジの組み立てを終了する。
【００３９】
次にこのディスクカートリッジの動作について説明する。
図６８ないし図７２はシャッター全閉時におけるディスクカートリッジの状態を示す図で、図６８はディスクカートリッジの平面図、図６９はディスクカートリッジの正面図、図７０は図６８Ｅ−Ｅ線上の断面図、図７１は図６８Ｆ−Ｆ線上の断面図、図７２は図７０Ｇ部の拡大断面図である。
【００４０】
図７３ないし図７７はシャッター全開時におけるディスクカートリッジの状態を示す図で、図７３はディスクカートリッジの平面図、図７４はディスクカートリッジの正面図、図７５は図７３Ｈ−Ｈ線上の断面図、図７６は図７３Ｉ−Ｉ線上の断面図、図７７は図７５Ｊ部の拡大断面図である。
【００４１】
図７８ないし図８３はシャッターの開き動作を説明する図で、図７８と図７９はディスクカートリッジをドライブ装置に挿入する途中の状態を示す平面図と正面図、図８０と図８１はシャッターを開く直前の状態を示す平面図と正面図、図８２と図８３はシャッターの全開状態を示す平面図と正面図である。
【００４２】
図６８に示すようにシャッター４でアウターシェル１の駆動軸挿入穴８とアウター側ヘッドアクセス口９を閉じているとき、ピニオン４６とラック部４３ならびにピニオン４６と円弧状歯部２０は図６６に示すような位置で噛合しており、インナーシェル２のインナー側ヘッドアクセス口１６はアウターシェル１のアウター側ヘッドアクセス口９から完全に離れた位置にある（図６８参照）。
【００４３】
そのためアウター側ヘッドアクセス口９は、外側からシャッター４により、内側からインナーシェル２の外面により覆われ、一方、インナー側ヘッドアクセス口１６はアウターシェル１の内面により覆われた３重閉塞構造になっており、優れた防塵性を有している。
【００４４】
またＣリング２４に設けられている突出部２９がディスク押さえ部材２３の突出部２上に乗り上げており、そのためＣリング２４によりディスク押さえ部材２３が記録ディスク３側に押しつけられ、図７２に示すようにディスク押さえ部材２３のディスク押圧部２５により記録ディスク３の内周部にあたるクランプ領域が両側から挟まれ、記録ディスク３が固定されている。
【００４５】
そのため衝撃などの外力から記録ディスク３を保護することができる。また、アウターシェル１の駆動軸挿入穴８はシャッター４により閉塞されているが、ディスク押さえ部材２３のディスク押圧部２５を記録ディスク３のクランプ領域に密着させることにより、駆動軸挿入穴８からの塵埃類の侵入を２重に防止することができる。
【００４６】
シャッター４をスライダー５に取り付けることにより、図６９に示すようにシャッター４に設けられている切欠部３９からスライダー５のシャッター開閉用凹部５２が露呈している。また、第１アウターシェル６と第２アウターシェル７を組み合わせることにより、アウターシェル１の前面にスリット５４が形成されている。
【００４７】
図７８に示すように、ドライブ装置内には互いに反対方向に移動する２つのシャッター開き部材５３ａ，５３ｂが待機している。シャッター４の端面板部３７を先にしてディスクカートリッジを矢印Ｋ方向に沿ってドライブ装置内に挿入すると、一方のシャッター開き部材５３ａの先端部がスライター５のシャッター開閉用凹部５２に挿入され、他方のシャッター開き部材５３ｂの先端部がアウターシェル１のスリット５４の端部に挿入される（図８０、図８１参照）。
【００４８】
さらにディスクカートリッジをドライブ装置内に挿入すると、コイルバネ３９の弾性に抗してシャッター開き部材５３ａは矢印Ｌａ方向に、シャッター開き部材５３ｂは矢印Ｌｂ方向に、それぞれ移動する。
【００４９】
シャッター開き部材５３ａの移動によりスライダー５（シャッター４）も同じように矢印Ｌａ方向に移動し、シャッター４が開かれる。このスライダー５の移動で図６６に示すようにピニオン４６が矢印Ｍ方向に回転し、それに伴いインナーシェル２が矢印Ｎ方向に回転して、シャッター４が全開したときに図６７と図８２に示すようにインナーシェル２のインナー側ヘッドアクセス口１６がアウター側ヘッドアクセス口９と合致する。この状態で上側のヘッドアクセス口９，１６へ光ヘッドが、下側のヘッドアクセス口９，１６へ浮上式の磁気ヘッドが、それぞれアクセス可能となる。
【００５０】
Ｃリング２４は連結ピン３１を介してインナーシェル２と連結されているから、インナーシェル２の回転に伴いＣリング２４も一緒に回転し、Ｃリング２４の傾斜面３０とディスク押さえ部材２３の傾斜面２７との共働で、ディスク押さえ部材２３が記録ディスク３から離れる方向に押しやられる。このディスク押さえ部材２３はアウターシェル１の位置決め突起１２で回転止めされているから、インナーシェル２とＣリング２４が回転してもディスク押さえ部材２３は回転せず、位置決め突起１２の軸方向に移動するだけである。その結果図７７に示すように、ディスク押さえ部材２３のディスク押圧部２５が記録ディスク３から離れ、記録ディスク３はフリーな状態になり、ドライブ装置のスピンドルが記録ディスク３のハブ１９と係合して記録ディスク３が回転される。
【００５１】
なおシャッター４を開く際、他方のシャッター開き部材５３ｂは、シャッター４のスリット５４内を移動するだけで、シャッター４の開き動作には関与しない。ディスクカートリッジが両面記録タイプで、ディスクカートリッジを裏返してドライブ装置に挿入したとき、今度はこの他方のシャッター開き部材５３ｂがシャッター開閉用凹部５２と係合して、シャッター４の開き動作には関与し、一方のシャッター開き部材５３ａがシャッター４のスリット５４内を移動するだけである。
【００５２】
ディスクカートリッジがドライブ装置から取り出す際には、前述と全く逆の動作となり、最終的には図６８に示すようにアウターシェル６の駆動軸挿入穴８とアウター側ヘッドアクセス口９がシャッター４で閉塞され、インナーシェル２が図６６に示す位置に戻り、図７２に示すように記録ディスク３がディスク押さえ部材２３により両側から挟持・固定される。
【００５３】
本実施形態ではインナーシェル２とＣリング２４を別体としたが、両者を一体成形することもできる。
【００５４】
本実施形態ではシャッター４とスライダー５を別体としたが、両者を一体成形することもできる。
【００５５】
本実施形態ではＣリング２４を用いたが、Ｏリングでもよい。
【００５６】
本実施形態は光磁気ディスクカートリッジの場合について説明したが、本発明は他の光ディスクカートリッジや磁気ディスクカートリッジにも適用可能である。
【００５７】
【発明の効果】
請求項１記載の本発明（第１の手段）は前述のように、アウター側ヘッドアクセス口と駆動軸挿入穴を有するアウターシェルと、
前記アウター側ヘッドアクセス口を開閉するシャッターと、
インナー側ヘッドアクセス口を有し、内側に記録ディスクを収納し、外周に円弧状歯部を有し、前記アウターシェル内に前記アウターシェルの駆動軸挿入穴を中心として回転可能に収納されたインナーシェルと、
前記インナーシェルの回転に伴って移動可能に取り付けられたディスク押さえ部材を備えたディスクカートリッジであって、
記録再生装置に、前記ディスクカートリッジを挿入したとき、当該ディスクカートリッジの挿入力によって、前記円弧状歯部を介して前記インナーシェルが回転され、当該インナーシェルの回転に伴って、前記ディスク押さえ部材が前記記録ディスクから離れることにより、前記記録ディスクが自在に回転可能になり、前記記録再生装置から前記ディスクカートリッジを取り出した際に、前記インナーシェルの復帰回転によって、前記ディスク押さえ部材は、前記記録ディスクに当接して前記記録ディスクの移動を規制することを特徴とするものである。
【００５８】
このようにディスク押さえ手段により記録ディスクが押さえられて固定されるから、落下衝撃などの外力に対する記録ディスクの保護が確実な信頼性の高いディスクカートリッジを提供することができる。
【００５９】
請求項２記載の本発明（第２の手段）は前記第１の手段において、前記アウター側ヘッドアクセス口と前記インナー側ヘッドアクセス口は、前記シャッターを閉じた状態では、回転方向に離れた位置にあり、前記シャッターには、当該シャッターに結合されたラック部材を有し、前記シャッターを開くと、前記ラック部材が前記円弧状歯部を介して前記インナーシェルを回転させ、前記アウター側ヘッドアクセス口と前記インナー側ヘッドアクセス口が一致し、前記記録再生装置のヘッドアクセスが可能となることを特徴とするものである。
【００６０】
このようにディスクカートリッジの未使用時、ディスク押さえ手段により記録ディスクがしっかりと固定されているから、防塵性に優れ、しかも落下衝撃などの外力に対する記録ディスクの保護が確実な信頼性の高いディスクカートリッジを提供することができる。
【図面の簡単な説明】
【図１】本発明の実施形態に係るディスクカートリッジの平面図である。
【図２】ディスクカートリッジの正面図である。
【図３】ディスクカートリッジの左側面図である。
【図４】ディスクカートリッジの右側面図である。
【図５】ディスクカートリッジの背面図である。
【図６】ディスクカートリッジの分解斜視図である。
【図７】第１アウターシェルの平面図である。
【図８】第１アウターシェルの正面図である。
【図９】第１アウターシェルの左側面図である。
【図１０】第１アウターシェルの右側面図である。
【図１１】第１アウターシェルの背面図である。
【図１２】第１アウターシェルの底面図である。
【図１３】第１アウターシェルの上側から視た斜視図である。
【図１４】第１アウターシェルの下側から視た斜視図である。
【図１５】第２アウターシェルの平面図である。
【図１６】第２アウターシェルの正面図である。
【図１７】第２アウターシェルの左側面図である。
【図１８】第２アウターシェルの右側面図である。
【図１９】第２アウターシェルの背面図である。
【図２０】第２アウターシェルの底面図である。
【図２１】第２アウターシェルの上側から視た斜視図である。
【図２２】第２アウターシェルの下側から視た斜視図である。
【図２３】第１インナーシェルの平面図である。
【図２４】第１インナーシェルの正面図である。
【図２５】第１インナーシェルの右側面図である。
【図２６】第１インナーシェルの底面図である。
【図２７】第１インナーシェルの上側から視た斜視図である。
【図２８】第１インナーシェルの下側から視た斜視図である。
【図２９】第２インナーシェルの平面図である。
【図３０】第２インナーシェルの正面図である。
【図３１】第２インナーシェルの右側面図である。
【図３２】第２インナーシェルの底面図である。
【図３３】第２インナーシェルの上側から視た斜視図である。
【図３４】第２インナーシェルの下側から視た斜視図である。
【図３５】インナーシェルアッセンブルの分解斜視図である。
【図３６】インナーシェルアッセンブルの平面図である。
【図３７】インナーシェルアッセンブルの正面図である。
【図３８】インナーシェルアッセンブルの右側面図である。
【図３９】インナーシェルアッセンブルの底面図である。
【図４０】図３９Ａ部の拡大図である。
【図４１】図４０Ｂ−Ｂ線上の断面図である。
【図４２】インナーシェルアッセンブルの平面図である。
【図４３】インナーシェルアッセンブルの底面図である。
【図４４】図４３Ｃ部の拡大図である。
【図４５】図４４Ｄ−Ｄ線上の断面図である。
【図４６】ディスク押さえ部材の平面図である。
【図４７】ディスク押さえ部材の正面図である。
【図４８】ディスク押さえ部材の底面図である。
【図４９】ディスク押さえ部材を上側から視た斜視図である。
【図５０】ディスク押さえ部材を下側から視た斜視図である。
【図５１】Ｃリングの平面図である。
【図５２】Ｃリングの正面図である。
【図５３】Ｃリングの底面図である。
【図５４】Ｃリングを上側から視た斜視図である。
【図５５】Ｃリングを下側から視た斜視図である。
【図５６】シャッターの平面図である。
【図５７】シャッターの正面図である。
【図５８】シャッターの左側面図である。
【図５９】シャッターの斜視図である。
【図６０】スライダーの平面図である。
【図６１】スライダーの正面図である。
【図６２】スライダーの左側面図である。
【図６３】スライダーの右側面図である。
【図６４】スライダーの背面図である。
【図６５】スライダーの斜視図である。
【図６６】シャッター全閉時におけるディスクカートリッジ内部の一部の状態を示す斜視図である。
【図６７】シャッター全開時におけるディスクカートリッジ内部の一部の状態を示す斜視図である。
【図６８】ディスクカートリッジの平面図である。
【図６９】ディスクカートリッジの正面図である。
【図７０】図６８Ｅ−Ｅ線上の断面図である。
【図７１】図６８Ｆ−Ｆ線上の断面図である。
【図７２】図７０Ｇ部の拡大断面図である。
【図７３】ディスクカートリッジの平面図である。
【図７４】ディスクカートリッジの正面図である。
【図７５】図７３Ｈ−Ｈ線上の断面図である。
【図７６】図７３Ｉ−Ｉ線上の断面図である。
【図７７】図７５Ｊ部の拡大断面図である。
【図７８】ディスクカートリッジをドライブ装置に挿入する途中の状態を示す平面図である。
【図７９】ディスクカートリッジをドライブ装置に挿入する途中の状態を示す正面図である。
【図８０】シャッターを開く直前の状態を示す平面図である。
【図８１】シャッターを開く直前の状態を示す正面図である。
【図８２】シャッターの全開状態を示す平面図である。
【図８３】シャッターの全開状態を示す正面図である。
【符号の説明】
１  アウターシェル
２  インナーシェル
３  記録ディスク
４  シャッター
５  スライダー
６  第１アウターシェル
７  第２アウターシェル
８  駆動軸挿入穴
９  アウター側ヘッドアクセス口
１０  アウター側ブリッジ部
１１  スライダーガイド部
１２  位置決め突起
１３  第１インナーシェル
１４  第２インナーシェル
１５  ハブ挿通穴
１６  インナー側ヘッドアクセス口
１７  インナー側ブリッジ部
１８  ディスク収容凹部
１９  ハブ
２０  円弧状歯部
２１  連結孔
２２  連結ピン
２３  ディスク押さえ部材
２４  Ｃリング
２５  ディスク押圧部
２６  突出部
２７  傾斜面
２８  回動阻止孔
２９  突出部
３０  傾斜面
３１  連結ピン
３２  ディスク押さえ部材収容部
３３  傾斜部
３４  Ｃリング収容部
３５  貫通孔
３６  平板部
３７  端面板部
３８  係止爪
３９  切欠部
４０  係止突片
４１  シャッター支持部
４２  摺動部
４３  ラック部
４４  バネ掛け部
４５  支持軸
４６  ピニオン
４７  第１歯車
４８  第２歯車
４９  コイルバネ
５０  バネ係止部
５１  ライトプロテクタ
５２  シャッター開閉凹部
５３ａ，５３ｂ  シャッター開き部材
５４  スリット
【図１】
0003722734.tif 000002
【図２】
0003722734.tif 000003
【図３】
0003722734.tif 000004
【図４】
0003722734.tif 000005
【図５】
0003722734.tif 000006
【図６】
0003722734.tif 000007
【図７】
0003722734.tif 000008
【図８】
0003722734.tif 000009
【図９】
0003722734.tif 000010
【図１０】
0003722734.tif 000011
【図１１】
0003722734.tif 000012
【図１２】
0003722734.tif 000013
【図１３】
0003722734.tif 000014
【図１４】
0003722734.tif 000015
【図１５】
0003722734.tif 000016
【図１６】
0003722734.tif 000017
【図１７】
0003722734.tif 000018
【図１８】
0003722734.tif 000019
【図１９】
0003722734.tif 000020
【図２０】
0003722734.tif 000021
【図２１】
0003722734.tif 000022
【図２２】
0003722734.tif 000023
【図２３】
0003722734.tif 000024
【図２４】
0003722734.tif 000025
【図２５】
0003722734.tif 000026
【図２６】
0003722734.tif 000027
【図２７】
0003722734.tif 000028
【図２８】
0003722734.tif 000029
【図２９】
0003722734.tif 000030
【図３０】
0003722734.tif 000031
【図３１】
0003722734.tif 000032
【図３２】
0003722734.tif 000033
【図３３】
0003722734.tif 000034
【図３４】
0003722734.tif 000035
【図３５】
0003722734.tif 000036
【図３６】
0003722734.tif 000037
【図３７】
0003722734.tif 000038
【図３８】
0003722734.tif 000039
【図３９】
0003722734.tif 000040
【図４０】
0003722734.tif 000041
【図４１】
0003722734.tif 000042
【図４２】
0003722734.tif 000043
【図４３】
0003722734.tif 000044
【図４４】
0003722734.tif 000045
【図４５】
0003722734.tif 000046
【図４６】
0003722734.tif 000047
【図４７】
0003722734.tif 000048
【図４８】
0003722734.tif 000049
【図４９】
0003722734.tif 000050
【図５０】
0003722734.tif 000051
【図５１】
0003722734.tif 000052
【図５２】
0003722734.tif 000053
【図５３】
0003722734.tif 000054
【図５４】
0003722734.tif 000055
【図５５】
0003722734.tif 000056
【図５６】
0003722734.tif 000057
【図５７】
0003722734.tif 000058
【図５８】
0003722734.tif 000059
【図５９】
0003722734.tif 000060
【図６０】
0003722734.tif 000061
【図６１】
0003722734.tif 000062
【図６２】
0003722734.tif 000063
【図６３】
0003722734.tif 000064
【図６４】
0003722734.tif 000065
【図６５】
0003722734.tif 000066
【図６６】
0003722734.tif 000067
【図６７】
0003722734.tif 000068
【図６８】
0003722734.tif 000069
【図６９】
0003722734.tif 000070
【図７０】
0003722734.tif 000071
【図７１】
0003722734.tif 000072
【図７２】
0003722734.tif 000073
【図７３】
0003722734.tif 000074
【図７４】
0003722734.tif 000075
【図７５】
0003722734.tif 000076
【図７６】
0003722734.tif 000077
【図７７】
0003722734.tif 000078
【図７８】
0003722734.tif 000079
【図７９】
0003722734.tif 000080
【図８０】
0003722734.tif 000081
【図８１】
0003722734.tif 000082
【図８２】
0003722734.tif 000083
【図８３】
0003722734.tif 000084